【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】  電極体とこれを挟持するセパレータとを有し、燃料ガスと酸化剤ガスとを供給されることにより電気を発生する燃料電池を積層してなる燃料電池積層体であって、
外部の電圧測定装置に接続されたコネクタに連結することで電圧測定可能な電圧測定部が前記セパレータに設けられ、
積層方向に隣合う電圧測定部であって、別個のコネクタに接続される電圧測定部が、積層方向から見て前記セパレータの同一側面において相互に位置をずらして設けられていることを特徴とする燃料電池積層体。
【請求項２】  前記燃料電池の積層方向に隣合う電圧測定部の複数をまとめた電圧測定部群が形成され、
積層方向に隣合う電圧測定部群であって、別個のコネクタに接続される電圧測定部群が、積層方向から見て相互に位置をずらして設けられていることを特徴とする請求項１に記載の燃料電池積層体。
【請求項３】  前記電圧測定部群を形成する積層方向に隣合う電圧測定部が、積層方向から見て相互に位置をずらして設けられていることを特徴とする請求項１または請求項２に記載の燃料電池積層体。
【請求項４】  前記積層方向に隣合う電圧測定部のうち少なくとも一部が積層方向から見て一方に偏らせて配設されることを特徴とする請求項１から請求項３のいずれかに記載の燃料電池積層体。
【請求項５】  電極体とこれを挟持するセパレータとを有し、燃料ガスと酸化剤ガスとを供給されることにより電気を発生する燃料電池を積層してなる燃料電池積層体であって、
外部の電圧測定装置に接続されたコネクタに連結することで電圧測定可能な電圧測定部が前記セパレータに設けられ、
前記燃料電池の積層方向に隣合う電圧測定部の複数をまとめてコネクタに接続される電圧測定部群が複数形成されていることを特徴とする燃料電池積層体。
【請求項６】  前記複数の電圧測定部群が、積層方向から見て前記セパレータの同一側面において相互に位置をずらして設けられていることを特徴とする請求項５に記載の燃料電池積層体。
【請求項７】  前記電圧測定部群を形成する積層方向に隣合う電圧測定部が、積層方向から見て相互に位置をずらして設けられていることを特徴とする請求項５または請求項６に記載の燃料電池積層体。
【請求項８】  前記積層方向に隣合う電圧測定部のうち少なくとも一部が積層方向から見て一方に偏らせて配設されることを特徴とする請求項５から請求項７のいずれかに記載の燃料電池積層体。
【手続補正２】
【補正対象書類名】明細書
【補正対象項目名】０００５
【補正方法】変更
【補正の内容】
【０００５】
【発明が解決しようとする課題】
しかしながら、従来においては以下のような問題があった。すなわち、従来においては、各燃料電池の電圧測定端子２は一般に、積層方向から見て同じ位置に直列に配置されている（図１０参照）。このため、各電圧測定端子２ごとに電圧測定装置に接続するためのコネクタを別々に設けると、各端子２とコネクタとの連結時にコネクタと電圧測定装置とを結ぶ配線が絡み合うおそれがある。また、コネクタを各端子２に一つずつ連結する必要があるため、作業が面倒である。
【手続補正３】
【補正対象書類名】明細書
【補正対象項目名】０００７
【補正方法】変更
【補正の内容】
【０００７】
【課題を解決するための手段】
上記課題を解決するためになされた請求項１に記載した発明は、電極体（例えば、実施の形態における膜電極構造体２２）とこれを挟持するセパレータ（例えば、実施の形態におけるセパレータ３０，３２）とを有し、燃料ガスと酸化剤ガスとを供給されることにより電気を発生する燃料電池（例えば、実施の形態における燃料電池２１）を積層してなる燃料電池積層体（例えば、実施の形態における燃料電池積層体２０）であって、外部の電圧測定装置に接続されたコネクタ（例えば、実施の形態におけるコネクタ６０）に連結することで電圧測定可能な電圧測定部（例えば、実施の形態における端子５０）が前記セパレータに設けられ、積層方向に隣合う電圧測定部であって、別個のコネクタに接続される電圧測定部（例えば、実施の形態における端子５２）が、積層方向から見て前記セパレータの同一側面において相互に位置をずらして設けられていることを特徴とする燃料電池積層体である。
【手続補正４】
【補正対象書類名】明細書
【補正対象項目名】００１０
【補正方法】変更
【補正の内容】
【００１０】
請求項２に記載した発明は、前記燃料電池の積層方向に隣合う電圧測定部の複数をまとめた電圧測定部群（例えば、実施の形態における端子群１０２）が形成され、積層方向に隣合う電圧測定部群であって、別個のコネクタ（例えば、実施の形態におけるコネクタユニット１０５）に接続される電圧測定部群（例えば、実施の形態における端子群１０４）が、積層方向から見て相互に位置をずらして設けられていることを特徴とする燃料電池積層体（例えば、実施の形態における燃料電池積層体１００）である。
【手続補正５】
【補正対象書類名】明細書
【補正対象項目名】００１２
【補正方法】変更
【補正の内容】
【００１２】
請求項３に記載した発明は、前記電圧測定部群を形成する積層方向に隣合う電圧測定部が、積層方向から見て相互に位置をずらして設けられていることを特徴とする燃料電池積層体（例えば、実施の形態における燃料電池積層体１００）である。
【手続補正６】
【補正対象書類名】明細書
【補正対象項目名】００１４
【補正方法】変更
【補正の内容】
【００１４】
請求項４に記載した発明は、前記積層方向に隣合う電圧測定部のうち少なくとも一部（例えば、実施の形態における端子５０，８２）が積層方向から見て一方に偏らせて配設されることを特徴とする燃料電池積層体（例えば、実施の形態における燃料電池積層体８０）である。
【手続補正７】
【補正対象書類名】明細書
【補正対象項目名】００１５
【補正方法】変更
【補正の内容】
【００１５】
上記のように構成すると、電圧測定部群を配置する領域をさらに密集させることができ、それ以外の部分に他の機器等を配置する自由度を高めることができる。また、請求項５に記載した発明は、電極体とこれを挟持するセパレータとを有し、燃料ガスと酸化剤ガスとを供給されることにより電気を発生する燃料電池を積層してなる燃料電池積層体であって、外部の電圧測定装置に接続されたコネクタに連結することで電圧測定可能な電圧測定部が前記セパレータに設けられ、前記燃料電池の積層方向に隣合う電圧測定部の複数をまとめてコネクタ（例えば、実施の形態におけるコネクタユニット７６）に接続される電圧測定部群が複数形成されていることを特徴とする燃料電池積層体である。
請求項６に記載した発明は、前記複数の電圧測定部群（例えば、実施の形態における端子群７２，７４）が、積層方向から見て前記セパレータの同一側面において相互に位置をずらして設けられていることを特徴とする燃料電池積層体（例えば、実施の形態における燃料電池積層体７０）である。
請求項７に記載した発明は、前記電圧測定部群を形成する積層方向に隣合う電圧測定部が、積層方向から見て相互に位置をずらして設けられていることを特徴とする燃料電池積層体（例えば、実施の形態における燃料電池積層体１００）である。
請求項８に記載した発明は、前記積層方向に隣合う電圧測定部のうち少なくとも一部が積層方向から見て一方に偏らせて配設されることを特徴とする燃料電池積層体（例えば、実施の形態における燃料電池積層体９０）である。